(57)【要約】【課題】壁パネル同士を引き付けてガタツキがなく強固に連結することができ、防音性及び防盗性に優れた壁パネルの連結装置を得る。【解決手段】２つの壁パネル１，２の側端部同士を連結する連結装置であって、２つの壁パネル１，２の側端部には、連結時に係合する凸条部Ａ，Ｂを形成し、壁パネル１の凸条部Ａに、壁パネル１，２表裏面間の中間平面Ｃと平行な面から壁パネル２との連結部方向に傾くと共に穴部３ａを形成した傾斜板３を取り付け、壁パネル２の凸条部Ｂに、傾斜板３と略平行に対向すると共にネジ部４ａを形成した傾斜板４を取り付け、壁パネルの裏側から挿入するボルト５により対向する２枚の傾斜板３，４を締結した。【選択図】        図１
2004270144.tif 000002
【特許請求の範囲】
【請求項１】
２つの壁パネルの側端部同士を連結する連結装置であって、
前記２つの壁パネルの側端部には、連結時に係合する凸条部を形成し、
前記壁パネルの側端部の凸条部の裏側のものに、前記壁パネル表裏面間の中間平面と平行な面から他方の壁パネルとの連結部方向に傾くと共に穴部を形成した傾斜板を取り付け、
前記壁パネルの側端部の凸条部の表側のものに、前記傾斜板と略平行に対向すると共にネジ部を形成した傾斜板を取り付け、
前記壁パネルの裏側から挿入するボルトにより前記対向する２枚の傾斜板を締結してなることを特徴とする壁パネルの連結装置。
【請求項２】
前記壁パネルの周囲板を板金により形成したことを特徴とする請求項１記載の壁パネルの連結装置。
【請求項３】
前記２つの壁パネルの連結時において、前記２つの壁パネルの側端部の凸条部同士が、前記壁パネルの表裏面間の中間平面内の鉛直軸に対して対称に、該鉛直軸まわりの回転により重なる形状に形成されていることを特徴とする請求項１又は２記載の壁パネルの連結装置。
【請求項４】
前記パネルがＡＴＭ本体の周囲を防護する壁構造の防護装置を構成してなる請求項１〜３のいずれかに記載の壁パネルの連結装置。
【発明の詳細な説明】
【０００１】
【発明の属する技術分野】
本発明は、壁パネルの連結装置に係わり、更に詳しくは防音性や防盗性に優れた壁パネルの連結装置に関するものである。
【０００２】
【従来の技術】
従来のパネル同士を連結する構造の例として、構造が簡単で、連結作業を容易にかつ短時間で行うことができる防音パネルを得ることを目的とし、吸音性を有する合板又は石膏ボード等で構成された２つの防音パネルの側端部に、抜止め面で連結方向に互いに抜止め状態で係合可能なカギ状の係合突起をそれぞれ備えるとともに、互いに係合された両係合突起間を連結方向と直角な方向に締結するねじを備え、係合突起の少なくとも一方の抜止め面が、ねじの締結により、他方の係合突起の抜止め面を引き寄せる傾斜面であることを特徴とするもの（特許文献１参照）がある。
【０００３】
ところで、パネル同士を連結する場合、各パネルの連結部に目地用の凹溝部を形成し、両パネルの連結部を接合した状態で両パネルの凹溝部で目地溝が形成され、この目地溝内で連結金具を介して又は直接ネジ止めし、そして目地溝を覆うカバー部材を装着する構造が採用されている。
【０００４】
また、スチール製の壁パネルや間仕切パネルにおいては、パネルの一端部に下向きフックを形成し、他端部に該フックが嵌合係止する係合孔を形成し、一方のパネルの一端部に設けたフックを、他方のパネルの他端部に設けた係合孔に嵌合係止するとともに、連結部の上端面又は上下端面に両パネルに跨って連結板を固定し、互いのパネルが上下方向に変移しないようになした連結構造も一般的である。また、支柱を介してパネルを連結するものにあっては、パネルの両端部に下向きフックを形成し、支柱の側面には前記フックが嵌合係止する係止孔を形成し、該支柱の係止孔にパネルのフックを嵌合係止するとともに、該パネルと支柱の上端に跨って連結板を固定し、該パネルの上動を規制して連結する構造のものも一般的である。
【０００５】
しかし、従来のパネルの連結構造では、パネル同士を十分に引き付けて連結しているとは言えず、そのため連結部にガタツキが生じ、また多少大きな力を連結部に加えると変形するという問題点があった。例えば、特許文献１の構成では、前記係合突起の傾斜面の作用により、ねじの締結によって２つの防音パネルが連結方向にも引き寄せられるものであるが、２つの防音パネルの連結方向への引き寄せにより、連結方向と直角な方向に締結するねじにせん断力が発生するため、結果として、このねじによる締結部にこじれが生じ、両防音パネル間の密着性が低下するという問題点があった。
【０００６】
したがって、パネル同士の連結部に僅かながらでも隙間が生じるので、この隙間からバールのようなものを差し込んで、こじ開けて連結部を破壊し、内部に侵入するといったことも想定され、防盗性においては必ずしも満足が得られるものではないという問題点があった。
【０００７】
【特許文献１】実開平７−３５６０９号公報（図１）
【０００８】
【発明が解決しようとする課題】
そこで、本発明が前述の状況に鑑み、解決しようとするところは、パネル同士を引き付けてガタツキがなく強固に連結することができ、防音性及び防盗性に優れた壁パネルの連結装置を提供する点にある。
【０００９】
【課題を解決するための手段】
本発明に係る壁パネルの連結装置は、前述の課題解決のために、２つの壁パネルの側端部同士を連結する連結装置であって、前記２つの壁パネルの側端部には、連結時に係合する凸条部を形成し、前記壁パネルの側端部の凸条部の裏側のものに、前記壁パネル表裏面間の中間平面と平行な面から他方の壁パネルとの連結部方向に傾くと共に穴部を形成した傾斜板を取り付け、前記壁パネルの側端部の凸条部の表側のものに、前記傾斜板と略平行に対向すると共にネジ部を形成した傾斜板を取り付け、前記壁パネルの裏側から挿入するボルトにより前記対向する２枚の傾斜板を締結してなるものである。
【００１０】
ここで、前記壁パネルの周囲板を板金により形成すると好ましい。
【００１１】
また、前記２つの壁パネルの連結時において、前記２つの壁パネルの側端部の凸条部同士を、前記壁パネルの表裏面間の中間平面内の鉛直軸に対して対称に、該鉛直軸まわりの回転により重なる形状に形成するとさらに好ましい。
【００１２】
さらに、前記パネルがＡＴＭ本体の周囲を防護する壁構造の防護装置を構成すると好ましい。
【００１３】
【発明の実施の形態】
次に本発明の実施の形態を添付図面に基づき更に詳細に説明する。図１は本発明の実施の形態に係る壁パネルの連結装置の構成を示す説明図であり、図１（ａ）は壁パネル１及び２の連結構造を示す断面図、図１（ｂ）は壁パネル１及び２の連結後の状態を示す断面図である。
【００１４】
壁パネル１及び２の側端部には、それぞれに、連結時に係合する凸条部Ａ及びＢが形成されており、壁パネル１の凸条部Ａが裏側に、壁パネル２の凸条部Ｂが表側となり、連結される。また、連結部には段差及び隙間がないように、壁パネル１の凸条部Ａ及び壁パネル２の凸条部Ｂが係合する。さらに、壁パネル１の側端部の凸条部Ａと壁パネル２の側端部の凸条部Ｂとは、壁パネルの連結時において、壁パネル１及び壁パネル２の表裏面間の中間平面Ｃ内の鉛直軸（中間平面Ｃと凸条部の外周との交線であるが、図１（ｂ）では中間平面Ｃと凸条部とは平行であるため、凸条部の外周の連結方向の長さの中点を含む中間平面Ｃ内の鉛直軸）に対して対称に（該鉛直軸まわりに一方の壁パネルの側端部の凸条部を回転すると他方の壁パネルの側端部の凸条部と重なる形状に）形成されている。
【００１５】
壁パネル１は、板金にて形成される、周囲板１ａ、補強板１ｂ及び裏カバー１ｃ、並びに、前記中間平面Ｃと平行な面から壁パネル２との連結部方向に傾くと共に穴部３ａを形成した傾斜板３を凸条部Ａ内に取り付けて構成されている。また、壁パネル２は、板金にて形成される周囲板２ａ及び補強板２ｂ、並びに、壁パネル１の傾斜板３と略平行に対向すると共にネジ部４ａを形成した傾斜板４を凸条部Ｂ内に取り付けて構成されている。
【００１６】
壁パネル１及び２の連結は、ボルト５を、壁パネル１の裏側から、すなわち裏カバー１ｃに明けた穴１ｄから挿入して傾斜板３及び４を締結することにより行われる。壁パネル１及び２の連結後は、裏カバー１ｃに明けた穴１ｄにはキャップ６が装着される。
【００１７】
このような、傾斜板３及び４間をボルト５により締結する構成により、壁パネル１及び２の連結側端部部同士が引き付けあって、連結部には段差及び隙間がないように強固に連結される。したがって、壁パネル１及び２の連結部のガタツキがなくなり、壁パネル１及び２間の密着性が向上する。また、壁パネル１及び２の連結部の裏側からのボルトのみにより締結されると共に壁パネル１及び２の表側には締結部が全く見えない構造によって、壁パネル１及び２の連結部同士が強固に連結されるため、防音性及び防盗性を向上することができる。
【００１８】
また、壁パネル１及び２は、前記のとおり板金による周囲板の連結構造を採用しているため、断面二次モーメントが大きくなり、したがって曲げ剛性が大きくなると共に、製造コストを抑えることができる。
【００１９】
さらに、壁パネル１の側端部の凸条部Ａと壁パネル２の側端部の凸条部Ｂとは、壁パネルの連結時において、壁パネル１及び壁パネル２の表裏面間の中間平面Ｃ内の前記鉛直軸に対して対称に形成されているため、連結するパネルの側端部の形状が共通化されるため、生産性及び施工性が向上する。
【００２０】
図２は、本発明の実施の形態に係る壁パネルの連結装置の別の構成を示す説明図であり、図２（ａ）は壁パネル１及び２の連結構造を示す断面図、図２（ｂ）は壁パネル１及び２の連結後の状態を示す断面図である。図１の構成と比較して、壁パネル１の凸条部Ａ及び壁パネル２の凸条部Ｂの形状は同様であるが、板金にて壁パネル１を形成する周囲板１ａ及び補強板１ｂの形状、板金にて壁パネル２を形成する周囲板２ａ及び補強板２ｂの形状、壁パネル１の傾斜板３の形状、及び、壁パネル２の傾斜板４の形状が異なっている。このように、壁パネル１及び２は、板金による様々な構成により形成することができる。また、傾斜板３及び４の形状及び取り付け方法も適宜選択することができる。図２のような構成によっても、図１の構成と同様の作用効果を奏する。
【００２１】
図３は、本発明の実施の形態に係る壁パネルの連結装置のさらに別の構成を示す説明図であり、図３（ａ）は壁パネル１及び２の連結構造を示す断面図、図３（ｂ）は壁パネル１及び２の連結後の状態を示す断面図である。図１の構成と比較して、壁パネル１の凸条部Ａ及び壁パネル２の凸条部Ｂの形状が異なっている。図３の構成においても、壁パネル１の側端部の凸条部Ａと壁パネル２の側端部の凸条部Ｂとは、壁パネル１及び壁パネル２の表裏面間の中間平面Ｃ内の鉛直軸（中間平面Ｃと凸条部の外周との交線）に対して対称に（該鉛直軸まわりに一方の壁パネルの側端部の凸条部を回転すると他方の壁パネルの側端部の凸条部と重なる形状に）形成されており、このような構成によっても、図１の構成と同様の作用効果を奏する。
【００２２】
図４は、本発明の壁パネルの連結装置を現金自動支払機等の現金の自動取扱機（以下、「ＡＴＭ」という）に適用した使用例を示し、図中符号１０１はＡＴＭ本体、１０２は防護装置、１０２ａは防護装置１０２の扉、１０３はボックス体、１０４は操作部、１０５は操作パネルをそれぞれ示している。ＡＴＭ本体１０１の操作パネル１０５の側方には、ボックス体１０３が移動不能に設置され、防護装置１０２と一体となってＡＴＭ本体１０１を保護している。
【００２３】
図５は、防護装置１０２の平面断面図であり、図１乃至図３と同一符号は同一又は相当部分を示している。防護装置１０２の内側から傾斜板３及び４間をボルト５により締結することにより防護装置１０２を形成しており、壁パネル１及び２の連結側端部部同士が引き付けあって、連結部には段差及び隙間がないように強固に連結されている。したがって、防護装置１０２の外側からは締結部が全く見えない構造となっており、壁パネル１及び２の連結部同士が強固に連結されるため、防盗性を向上することができる。
【００２４】
【発明の効果】
この発明に係る壁パネルの連結装置は、以上説明したように構成されているので、以下に示すような効果を奏する。
【００２５】
請求項１に係る発明によれば、２つの壁パネルの側端部同士を連結する連結装置であって、前記２つの壁パネルの側端部には、連結時に係合する凸条部を形成し、前記壁パネルの側端部の凸条部の裏側のものに、前記壁パネル表裏面間の中間平面と平行な面から他方の壁パネルとの連結部方向に傾くと共に穴部を形成した傾斜板を取り付け、前記壁パネルの側端部の凸条部の表側のものに、前記傾斜板と略平行に対向すると共にネジ部を形成した傾斜板を取り付け、前記壁パネルの裏側から挿入するボルトにより前記対向する２枚の傾斜板を締結したので、壁パネルの連結側端部部同士が引き付けあって、連結部には段差及び隙間がないように強固に連結され、壁パネルの連結部のガタツキがなくなると共に密着性が向上し、壁パネルの連結部の裏側からのボルトのみにより締結されると共に壁パネルの表側には締結部が全く見えない構造であるため、防音性及び防盗性を向上することができる。
【００２６】
請求項２に係る発明よれば、請求項１に係る発明の構成に加えて、前記壁パネルの周囲板を板金により形成したので、請求項１に係る発明の効果に加え、曲げ剛性が大きくなると共に、製造コストを抑えることができる。
【００２７】
請求項３に係る発明によれば、請求項１又は２に係る発明の構成に加えて、前記２つの壁パネルの連結時において、前記２つの壁パネルの側端部の凸条部同士が、前記壁パネルの表裏面間の中間平面内の鉛直軸に対して対称に、該鉛直軸まわりの回転により重なる形状に形成されているので、連結するパネルの側端部の形状が共通化されるため、生産性及び施工性が向上する。
【００２８】
請求項４に係る発明によれば、請求項１〜３のいずれかに係る発明の構成によるパネル連結により、ＡＴＭ本体の周囲を防護する壁構造の防護装置を構成したため、前記防護装置の防盗性を向上することができる。
【図面の簡単な説明】
【図１】本発明の実施の形態に係る壁パネルの連結装置の構成を示す説明図であり、（ａ）は壁パネルの連結構造を示す断面図、（ｂ）は壁パネルの連結後の状態を示す断面図である。
【図２】本発明の実施の形態に係る壁パネルの連結装置の別の構成を示す説明図であり、（ａ）は壁パネルの連結構造を示す断面図、（ｂ）は壁パネルの連結後の状態を示す断面図である。
【図３】本発明の実施の形態に係る壁パネルの連結装置のさらに別の構成を示す説明図であり、（ａ）は壁パネルの連結構造を示す断面図、（ｂ）は壁パネルの連結後の状態を示す断面図である。
【図４】本発明の壁パネルの連結装置のＡＴＭへの適用例を示す斜視図である。
【図５】ＡＴＭの防護装置の平面断面図である。
【符号の説明】
１，２  壁パネル
１ａ  周囲板
１ｂ  補強板
１ｃ  裏カバー
２ａ  周囲板
２ｂ  補強板
３，４  傾斜板
Ａ，Ｂ  凸条部
Ｃ  壁パネル１及び壁パネル２の表裏面間の中間平面
【図１】
2004270144.tif 000003
【図２】
2004270144.tif 000004
【図３】
2004270144.tif 000005
【図４】
2004270144.tif 000006
【図５】
2004270144.tif 000007